(57)【要約】【課題】無駄な電力消費を招くことなく、通信サービス、放送番組受信サービス、外部機器からのコンテンツデータ受信サービスを複数の端末に提供可能なデータ伝送装置を実現する。【解決手段】ワイヤレスＡＶステーション１０１においては、ルータとして機能する通信部３１３に対する電源Ｖ３の供給と、ＡＶパス２１１，２１５に対する電源Ｖ１，Ｖ３の供給とを独立に制御することができる。さらに、ワイヤレスＡＶステーション１０１においては、放送番組データを受信するＡＶパス２１１に対する電源Ｖ１の供給と外部機器からコンテンツデータを受信するＡＶパス２１５に対する電源Ｖ３の供給も独立に制御することができる。このため、ＡＶパス２１１，２１５それぞれの使用状態に基づき、ＡＶパス２１１とＡＶパス２１５とを個別に電源オン／オフすることができるので、必要なＡＶパスにのみ電源を供給することが可能となる。【選択図】      図２
2005073142.tif 000002
【特許請求の範囲】
【請求項１】
複数の端末の各々からの要求に応じてデータを受信するとともに、外部デバイスと接続されるデータ伝送装置において、
第１の電源、第２の電源、および第３の電源の供給を制御する電源装置と、
前記第１の電源によって駆動され、前記複数の端末が接続されるローカルネットワークと外部ネットワークとの間のデータ伝送を実行する通信装置と、
前記第２の電源によって駆動され、前記通信装置によって受信される各端末からの放送データ受信開始要求に応じて、放送データを受信する第１の受信装置と、
前記第３の電源によって駆動され、前記通信装置によって受信される各端末からのコンテンツデータ受信開始要求に応じて、前記外部デバイスからコンテンツデータを受信する第２の受信装置と、
前記第１の受信装置および前記第２の受信装置それぞれの使用状態に基づき、前記通信装置が電源オンされた状態で、前記第１の受信装置と前記第２の受信装置とが個別に電源オン／オフされるように前記電源装置を制御する電源制御手段とを具備することを特徴とするデータ伝送装置。
【請求項２】
前記電源制御手段は、
前記通信装置が前記複数の端末の何れか一つから送信される受信開始要求を受信した場合、前記受信開始要求が前記放送データ受信開始要求および前記コンテンツデータ受信開始要求のいずれであるかを判別する手段と、
前記受信開始要求が前記放送データ受信開始要求である場合は前記第１の受信装置が電源オンされるように前記電源装置を制御し、前記受信開始要求が前記コンテンツデータ受信開始要求である場合は前記第２の受信装置が電源オンされるように前記電源装置を制御する手段と、
前記通信装置が前記複数の端末の何れか一つから送信される受信終了要求を受信した場合、前記受信終了要求が放送データ受信終了要求およびコンテンツデータ受信終了要求のいずれであるかを判別する手段と、
前記受信終了要求が前記放送データ受信終了要求である場合は前記第１の受信装置が電源オフされるように前記電源装置を制御し、前記受信終了要求が前記コンテンツデータ受信終了要求である場合は前記第２の受信装置が電源オフされるように前記電源装置を制御する手段とを含むことを特徴とする請求項１記載のデータ伝送装置。
【請求項３】
前記通信装置は、前記第１の受信装置によって受信される放送データを、前記放送データ受信開始要求を送信した端末に前記ローカルネットワークを介して伝送する手段を含むことを特徴とする請求項１記載のデータ伝送装置。
【請求項４】
前記通信装置は、前記第２の受信装置によって受信されるコンテンツデータを、前記コンテンツデータ受信開始要求を送信した端末に前記ローカルネットワークを介して伝送する手段を含むことを特徴とする請求項１記載のデータ伝送装置。
【請求項５】
前記第１の受信装置によって受信される放送データを、外部のビデオ機器に出力する出力装置をさらに具備することを特徴とする請求項１記載のデータ伝送装置。
【請求項６】
前記第２の受信装置によって受信されるコンテンツデータを、外部のビデオ機器に出力する出力装置をさらに具備することを特徴とする請求項１記載のデータ伝送装置。
【請求項７】
データ記憶装置と、
前記第１の受信装置によって受信される放送データを、前記データ記憶装置に格納する手段とをさらに具備することを特徴とする請求項１記載のデータ伝送装置。
【請求項８】
データ記憶装置と、
前記第２の受信装置によって受信されるコンテンツデータを、前記データ記憶装置に格納する手段とをさらに具備することを特徴とする請求項１記載のデータ伝送装置。
【請求項９】
複数の端末の各々からの要求に応じてデータを受信するとともに、外部デバイスと接続されるデータ伝送装置において、
第１の電源によって駆動され、前記複数の端末が接続されるローカルネットワークと外部ネットワークとの間のデータ伝送を実行する通信装置と、
第２の電源によって駆動され、放送データを受信する第１の受信装置と、
第３の電源によって駆動され、放送データを受信する第２の受信装置と、
第４の電源によって駆動され、前記外部デバイスからコンテンツデータを受信する第３の受信装置と、
前記第１の電源、前記第２の電源、前記第３の電源、および前記第４の電源の供給を制御する電源装置と、
前記通信装置が前記複数の端末の何れか一つから送信される放送データ受信開始要求を受信した場合、前記放送データ受信開始要求を送信した端末によって指定される放送データが前記第１の受信装置および前記第２の受信装置の一方によって受信されるように、前記放送データ受信開始要求を送信した端末に対して前記第１の受信装置および前記第２の受信装置の一方を選択的に割り当てる手段と、
前記通信装置が前記複数の端末の何れか一つから送信されるコンテンツデータ受信開始要求を受信した場合、前記外部デバイスから送信されるコンテンツデータが前記第３の受信装置によって受信されるように、前記コンテンツデータ受信開始要求を送信した端末に対して前記第３の受信装置を割り当てる手段と、
前記第１の受信装置、前記第２の受信装置、および前記第３の受信装置それぞれの使用状態に基づき、前記通信装置が電源オンされた状態で前記第１の受信装置、前記第２の受信装置、および前記第３の受信装置が個別に電源オン／オフされるように前記電源装置を制御する電源制御手段とを具備することを特徴とするデータ伝送装置。
【請求項１０】
前記電源制御手段は、
前記放送データ受信開始要求を送信した端末に割り当てられた前記第１の受信装置および前記第２の受信装置の一方が電源オンされるように前記電源装置を制御する手段と、
前記通信装置が前記複数の端末の何れか一つから送信される放送データ受信終了要求を受信した場合、前記放送データ受信開始要求を送信した端末と当該端末に割り当てられた受信装置との関係を示す情報に基づいて、前記放送データ受信終了要求を送信した端末に割り当てられている受信装置が、前記第１の受信装置および前記第２の受信装置のいずれであるかを判別する手段と、
前記放送データ受信終了要求を送信した端末に割り当てられていることが判別された、前記第１の受信装置および前記第２の受信装置の一方が電源オフされるように前記電源装置を制御する手段とを含むことを特徴とする請求項９記載のデータ伝送装置。
【請求項１１】
放送データを受信する第１の受信装置、外部デバイスからコンテンツデータを受信する第２の受信装置、および複数の端末が接続されるローカルネットワークと外部ネットワークとの間のデータ伝送を実行する通信装置とを含むデータ伝送装置の電源制御方法であって、
前記第１の受信装置および前記第２の受信装置を電源オフ状態に維持した状態で、前記通信装置を電源オンするステップと、
前記通信装置が前記複数の端末の何れか一つから送信される受信開始要求を受信した場合、前記受信開始要求が前記放送データ受信開始要求および前記コンテンツデータ受信開始要求のいずれであるかを判別するステップと、
前記受信開始要求が前記放送データ受信要求である場合は前記第１の受信装置を電源オンし、前記受信開始要求が前記コンテンツデータ受信開始要求である場合は前記第２の受信装置を電源オンするステップと、
前記通信装置が前記複数の端末の一つから送信される受信終了要求を受信した場合、前記受信終了要求が放送データ受信終了要求およびコンテンツデータ受信終了要求のいずれであるかを判別するステップと、
前記受信終了要求が前記放送番組受信終了要求である場合は前記第１の受信装置を電源オフし、前記受信終了要求が前記コンテンツデータ受信終了要求である場合は前記第２の受信装置を電源オフするステップとを具備することを特徴とする電源制御方法。
【請求項１２】
前記第１の受信装置によって受信される放送データを、前記放送データ受信開始要求を送信した端末と前記通信装置との間の通信によって、前記放送データ受信開始要求を送信した端末に前記ローカルネットワークを介して伝送するステップをさらに具備することを特徴とする請求項１１記載の電源制御方法。
【請求項１３】
前記第２の受信装置によって受信されるコンテンツデータを、前記コンテンツデータ受信開始要求を送信した端末と前記通信装置との間の通信によって、前記コンテンツデータ受信開始要求を送信した端末に前記ローカルネットワークを介して伝送するステップをさらに具備することを特徴とする請求項１１記載の電源制御方法。
【発明の詳細な説明】
【技術分野】
【０００１】
本発明は、ホームサーバのようなデータ伝送装置に関し、特に端末からの要求に応じてデータを受信する機能を有するデータ伝送装置および同装置で用いられる電源制御方法に関する。
【背景技術】
【０００２】
近年、情報処理技術およびネットワーク技術の進展に伴い、ＴＶ、オーディオ機器、などの家庭内の電子機器同士を接続するためのホームネットワークシステムの開発が進められている。
【０００３】
ホームネットワークシステムにおいては、ホームサーバは、ネットワークを介してパーソナルコンピュータのようなクライアント端末に接続される。最近では、クライアント端末が接続されるローカルネットワークと、インターネットなどの外部ネットワークとの間を接続するためのルータ機能を有するホームサーバも開発されている。クライアント端末は、ホームサーバを介して、家庭内の他のクライアント端末およびインターネット上のＷｅｂサーバそれぞれとの通信を行うことが出来る。
【０００４】
さらに、ＴＶ番組などの放送番組データを受信するＴＶ機能を有するホームサーバも開発されている。ホームサーバは、受信した放送番組データを外部のＴＶ受像機に出力したり、ローカルネットワークを介してクライアント端末に送信することができる。
【０００５】
しかし、従来のホームサーバにおいては、ホームサーバが電源オンされている期間中においては、ルータユニットと放送番組データ受信ユニットの双方に常に電源が供給される。このため、ホームサーバのルータ機能のみを使用している場合には、放送番組データ受信ユニットへの電源供給によって無駄な電力が消費されてしまう。
【０００６】
また、最近では、ホームサーバには、ＴＶ番組などの放送番組データのみならず、外部機器から様々なコンテンツを受信する外部入力機能も要求されている。
【０００７】
従来のビデオ機器の電源制御方法としては、複数のＴＶチューナ（地上波チューナ、放送衛星チューナ）の中で未使用のＴＶチューナの電源をオフする方法が知られている。この方法では、ユーザによるキースイッチまたはリモコンユニットの操作に応じて、どのＴＶチューナの出力を使用するかが明示的に指定され、その指定されたＴＶチューナの電源がオンされる。
【特許文献１】特開平１０−１０８１１５号公報
【発明の開示】
【発明が解決しようとする課題】
【０００８】
しかし、上記方法は専用のビデオ機器をシングルユーザ環境で使用することを前提としており、複数のユーザそれぞれが自身のクライアント端末からホームサーバのＴＶ機能、外部入力機能を制御するというマルチユーザ環境での使用については考慮されていない。複数のクライアント端末との通信が可能なホームサーバにおいては、無駄な電力消費を招くことなく、ホームサーバの通信機能、ＴＶ機能、外部入力機能を複数の端末から利用するための機能を実現することが必要である。
【０００９】
本発明は上述の事情を考慮してなされたものであり、無駄な電力消費を招くことなく、通信サービス、放送番組受信サービス、外部機器からのコンテンツデータ受信サービスを複数の端末に提供することが可能なデータ伝送装置および電源制御方法を提供することを目的とする。
【課題を解決するための手段】
【００１０】
上述の課題を解決するため、本発明は、複数の端末の各々からの要求に応じてデータを受信するとともに、外部デバイスと接続されるデータ伝送装置において、第１の電源、第２の電源、および第３の電源の供給を制御する電源装置と、前記第１の電源によって駆動され、前記複数の端末が接続されるローカルネットワークと外部ネットワークとの間のデータ伝送を実行する通信装置と、前記第２の電源によって駆動され、前記通信装置によって受信される各端末からの放送データ受信開始要求に応じて、放送データを受信する第１の受信装置と、前記第３の電源によって駆動され、前記通信装置によって受信される各端末からのコンテンツデータ受信開始要求に応じて、前記外部デバイスからコンテンツデータを受信する第２の受信装置と、前記第１の受信装置および前記第２の受信装置それぞれの使用状態に基づき、前記通信装置が電源オンされた状態で、前記第１の受信装置と前記第２の受信装置とが個別に電源オン／オフされるように前記電源装置を制御する電源制御手段とを具備することを特徴とする。
【００１１】
このデータ伝送装置においては、通信装置に対する電源供給と第１および第２の受信装置に対する電源供給とが独立に制御されるので、通信機能のみを使用し、放送番組受信サービスおよびコンテンツデータ受信サービスを使用しない場合には、第１の受信装置および第２の受信装置それぞれへの電源供給を停止することができる。また放送番組データを受信する第１の受信装置および外部機器からコンテンツデータを受信する第２の受信装置それぞれの使用状態に基づき、第１の受信装置と第２の受信装置とが個別に電源オン／オフされるので、必要な受信装置にのみ電源を供給することが可能となる。よって、無駄な電力消費を招くことなく、通信サービス、放送番組受信サービス、およびコンテンツデータ受信サービスを複数の端末に提供することが可能となる。
【発明の効果】
【００１２】
本発明によれば、無駄な電力消費を招くことなく、通信サービス、放送番組受信サービス、およびコンテンツデータ受信サービスを複数の端末に提供することが可能となる。
【発明を実施するための最良の形態】
【００１３】
以下、図面を参照して本発明の実施形態を説明する。  
図１には、本発明の一実施形態に係るデータ伝送装置を用いたホームネットワークシステムの構成が示されている。このホームネットワークシステムは、ワイヤレスＡＶ（オーディオ・ビデオ）ステーション１０１、ＴＶ受像機１０２、およびノートブックタイプのパーソナルコンピュータ１０３，１０４、デスクトップタイプのパーソナルコンピュータ１０５、等から構成されている。
【００１４】
ワイヤレスＡＶステーション１０１はホームサーバとして機能するデータ伝送装置である。このワイヤレスＡＶステーション１０１は、ＴＶ番組のような放送番組データ（または単に放送データと云う）の視聴、外部機器から入力されるコンテンツデータの視聴、およびインターネット閲覧等に関するサービスを、家庭内の無線または有線のローカルネットワークを介してパーソナルコンピュータ１０３〜１０５などの各情報処理端末に提供する。
【００１５】
ワイヤレスＡＶステーション１０１は、例えばＩＳＤＮ（Integrated Services Digital Network）、ＡＤＳＬ（Asymmetric Digital Subscriber Line）、ＣＡＴＶ（Cable TV）などの通信回線を介して、インターネット１２などの外部のグローバルネットワーク（外部ネットワーク）に接続されている。さらに、ワイヤレスＡＶステーション１０１は、家庭内の有線または無線のネットワークを介して、家庭内の各種情報処理端末に接続されている。
【００１６】
パーソナルコンピュータ１０３〜１０５の各々は、ワイヤレスＡＶステーション１０１のクライアントとして機能する端末である。ノートブックタイプのパーソナルコンピュータ１０３，１０４には無線通信デバイスが設けられており、これらノートブックタイプのパーソナルコンピュータ１０３，１０４の各々はワイヤレスＡＶステーション１０１に無線通信ネットワーク（無線ＬＡＮ）１４を介して接続することができる。デスクトップタイプのパーソナルコンピュータ１０５は有線通信ネットワーク（有線ＬＡＮ）１５を介してワイヤレスＡＶステーション１０１に接続されている。
【００１７】
ワイヤレスＡＶステーション１０１は、パーソナルコンピュータ１０３〜１０５それぞれをインターネット１２に接続し、そしてインターネット１２上のＷｅｂサイトとパーソナルコンピュータ１０３〜１０５それぞれとの間のデータの送受信を行う。
【００１８】
屋外に設置されたＴＶ放送受信アンテナ１１１に接続されたアンテナケーブルは屋内に引き込まれている。そのアンテナケーブルにはＴＶ受像機１０２とワイヤレスＡＶステーション１０１とが接続されている。放送局から送信される放送番組データはＴＶ受像機１０２にて受信および再生できる他、ワイヤレスＡＶステーション１０１でも受信することが出来る。ワイヤレスＡＶステーション１０１は、受信した放送番組データを、家庭内の無線または有線のローカルネットワークを介してパーソナルコンピュータ１０３，１０４，１０５に送信する。またワイヤレスＡＶステーション１０１は、受信した放送番組データをＴＶ受像機１０２に出力することもできる。
【００１９】
ワイヤレスＡＶステーション１０１は、例えば、ビデオプレーヤ、カメラ、オーディオプレーヤのような外部機器１０６にも接続されている。ワイヤレスＡＶステーション１０１は、外部機器１０６からコンテンツデータを受信することができる。ワイヤレスＡＶステーション１０１は、受信したコンテンツデータを、家庭内の無線または有線のローカルネットワークを介してパーソナルコンピュータ１０３，１０４，１０５に送信する。またワイヤレスＡＶステーション１０１は、受信したコンテンツデータをＴＶ受像機１０２に出力することもできる。
【００２０】
ワイヤレスＡＶステーション１０１によって提供される主な機能は次の通りである。
【００２１】
・ルータ機能：
ルータ機能は、家庭内の無線または有線のローカルネットワーク１４，１５とインターネット１２との間を接続する機能である。このルータ機能を利用することにより、情報処理端末１０３〜１０５の各々は、インターネット１２上のＷｅｂサイトとの通信、ローカルネットワーク上の他の情報処理端末との通信を行うことができる。
【００２２】
・ＴＶ機能：
ＴＶ機能は、家庭内の無線または有線のローカルネットワーク１４，１５に接続された各情報処理端末１０３〜１０５からの要求に応じて、放送番組データを受信する機能である。ワイヤレスＡＶステーション１０１は、受信した放送番組データを要求元の情報処理端末に送信したり、ＴＶ１０２に出力することができる。ワイヤレスＡＶステーション１０１は、複数の情報処理端末が同時にＴＶ機能を利用できるようにするために、複数の放送番組データ受信ユニットを備えている。
【００２３】
・ＴＶ録画機能：
ワイヤレスＡＶステーション１０１には、放送番組データを記録するための大容量ストレージデバイスとして磁気ディスクドライブ装置（ハードディスクドライブ；ＨＤＤ）が内蔵されている。ワイヤレスＡＶステーション１０１は、例えば現在放送中の放送番組データを情報処理端末に送信しながら、その放送番組データを磁気ディスクドライブ装置にファイルとして記録することができる。また、ワイヤレスＡＶステーション１０１は、磁気ディスクドライブ装置に既に記録されている放送番組データを情報処理端末に送信しながら、現在放送中の別の放送番組データを受信してそれを磁気ディスクドライブ装置に記録することもできる。さらに、ワイヤレスＡＶステーション１０１は、磁気ディスクドライブ装置に記録された放送番組データをＴＶ受像機１０２に出力することもできる。
【００２４】
・外部入力機能
外部入力機能は、家庭内の無線または有線のローカルネットワーク１４，１５に接続された各情報処理端末１０３〜１０５からの要求に応じて、外部機器１０６からコンテンツデータを受信（入力）する機能である。ワイヤレスＡＶステーション１０１は、外部機器１０６から受信したコンテンツデータを要求元の情報処理端末に送信したり、ＴＶ１０２に出力することができる。またワイヤレスＡＶステーション１０１は、外部機器１０６から受信したコンテンツデータを磁気ディスクドライブ装置にファイルとして記録することもできる。
【００２５】
・コンテンツサーバ機能
ワイヤレスＡＶステーション１０１は、各情報処理端末からのデータ取得要求に応じて、磁気ディスクドライブ装置にファイルとして記録された放送番組データおよびコンテンツデータを、要求元の情報処理端末に送信することができる。
【００２６】
・遠隔制御機能：
ワイヤレスＡＶステーション１０１のＴＶ機能、ＴＶ録画機能、外部入力機能、コンテンツサーバ機能は、パーソナルコンピュータ１０３〜１０５のそれぞれから遠隔制御することが出来る。またワイヤレスＡＶステーション１０１を操作するための専用のリモコンユニットを用いて、ワイヤレスＡＶステーション１０１のＴＶ機能、ＴＶ録画機能、外部入力機能、コンテンツサーバ機能を制御することも出来る。
【００２７】
次に、図２を参照して、ワイヤレスＡＶステーション１０１のシステム構成について説明する。  
ワイヤレスＡＶステーション１０１は、図２に示されているように、ＡＶ部２１、システム部３１、電源部４１、および電源制御部４２を備えている。ＡＶ部２１は、上述のＴＶ機能、ＴＶ録画機能、外部入力機能を実行する。ＡＶ部２１は、第１のＡＶパス２１１、第２のＡＶパス２１２、グラフィクス／オーディオコントローラ２１３、アンプ（ＡＭＰ）２１４を備えており、ＰＣＩバスなどのバス１０を介してシステム部３１に接続されている。
【００２８】
第１および第２のＡＶパス２１１，２１２は、それぞれ情報処理端末から要求された放送番組データを受信するための受信装置であり、互いに独立した電源Ｖ１，Ｖ２によって駆動される。これら電源Ｖ１，Ｖ２は電源部４１から供給される。これら２つのＡＶパス２１１，２１２により、同時に２つの情報処理端末に対して、ＴＶ機能またはＴＶ録画機能を提供することができる。
【００２９】
さらに、ＡＶ部２１は、第３のＡＶパス２１５も備えている。第３のＡＶパス２１５は情報処理端末からの要求に応じて外部機器１０６からＡＶデータのようなコンテンツデータを受信する装置であり、電源Ｖ３によって駆動される。電源Ｖ３は電源部４１から供給される。
【００３０】
グラフィクス／オーディオコントローラ２１３は、放送番組データおよびコンテンツデータなどを外部のＴＶ受像機１０２またはＡＶ機器に出力する出力装置であり、ＡＶパス２１１または２１２によって受信された放送番組データ、ＡＶパス２１５によって外部機器１０６から受信されたコンテンツデータ、あるいはシステム部３１のＨＤＤ３１２に記録されているデータを、外部のＴＶ受像機１０２またはＡＶ機器に出力する。
【００３１】
第１のＡＶパス２１１は、ＴＶチューナ２１１、アナログ／デジタルコンバータ（ＡＤＣ）２２２、ＭＰＥＧ２エンコーダ２２３、ＰＣＩバスインタフェース（ＰＣＩ  Ｉ／Ｆ）２２４、およびＭＰＥＧ２デコーダ２２５を備えている。ＴＶチューナ２１１はＴＶアンテナ１１に接続されている。ＴＶチューナ２１１は、情報処理端末１０３〜１０５またはリモコンユニットから受信要求されたチャネルの放送番組データを受信するデバイスであり、ＴＶ受信要求（ＴＶ視聴要求）に基づいて、ＴＶ放送信号の受信及びチャネル選択を行う。アナログ／デジタルコンバータ（ＡＤＣ）２２２、ＭＰＥＧ２エンコーダ２２３、ＰＣＩバスインタフェース（ＰＣＩ  Ｉ／Ｆ）２２４、およびＭＰＥＧ２デコーダ２２５は、ＴＶチューナ２１１によって受信されたＴＶ放送番組データを処理する放送データ処理部を構成する。ＴＶチューナ２１１によって受信された、あるチャネルのＴＶ放送番組データは、アナログ／デジタルコンバータ（ＡＤＣ）２２２に送られ、そこでデジタル信号に変換される。
【００３２】
ＴＶチューナ２１１によって受信されたＴＶ放送番組データをＴＶ受像機１０２に出力する場合には、デジタル信号に変換されたＴＶ放送番組データはセレクタ２３６を介してグラフィクス／オーディオコントローラ２１３に送られる。一方、ＴＶチューナ２１１によって受信されたＴＶ放送番組データを要求元の情報処理端末に送信する場合、あるいはシステム部３１内のＨＤＤ３１２に記録する場合には、デジタル信号に変換されたＴＶ放送番組データはＭＰＥＧ２エンコーダ２２３に送られる。ＭＰＥＧ２エンコーダ２２３は、ＴＶ放送番組データを圧縮符号化する。圧縮符号化されたＴＶ放送番組データは、ＰＣＩバスインタフェース（ＰＣＩ  Ｉ／Ｆ）２２４、およびバス１０を介して、システム部３１に送られる。ＴＶチューナ２１１によって受信されたＴＶ放送番組データをＴＶ受像機１０２に出力しながら、システム部３１内のＨＤＤ３１２に記録する場合には、アナログ／デジタルコンバータ（ＡＤＣ）２２２によってデジタル信号に変換されたＴＶ放送番組データは、セレクタ２３６およびＭＰＥＧ２エンコーダ２２３の双方にそれぞれ供給される。ＭＰＥＧ２デコーダ２２５は圧縮符号化されたＴＶ放送番組データをデコードする。このＭＰＥＧ２デコーダ２２５は、システム部３１内のＨＤＤ３１２に記録された圧縮符号化されたＴＶ放送番組データをＴＶ受像機１０２に出力する場合に用いられる。このように第１のＡＶパス２１１は、放送データの受信処理と、受信された放送データの記録および再生のための放送データ処理を実行する。
【００３３】
第２のＡＶパス２１２も、第１のＡＶパス２１１と同様に、ＴＶチューナ２３１、アナログ／デジタルコンバータ（ＡＤＣ）２３２、ＭＰＥＧ２エンコーダ２３３、ＰＣＩバスインタフェース（ＰＣＩ  Ｉ／Ｆ）２３４、およびＭＰＥＧ２デコーダ２３５を備えている。ＴＶチューナ２３１は、情報処理端末１０３〜１０５またはリモコンユニットから受信要求されたチャネルの放送番組データを受信するデバイスであり、ＴＶ受信要求（ＴＶ視聴要求）に基づいて、ＴＶ放送信号の受信及びチャネル選択を行う。アナログ／デジタルコンバータ（ＡＤＣ）２３２、ＭＰＥＧ２エンコーダ２３３、ＰＣＩバスインタフェース（ＰＣＩ  Ｉ／Ｆ）２３４、およびＭＰＥＧ２デコーダ２３５は、ＴＶチューナ２３１によって受信されたＴＶ放送番組データを処理する放送データ処理部を構成する。ＴＶチューナ２３１によって受信された、あるチャネルのＴＶ放送番組データは、アナログ／デジタルコンバータ（ＡＤＣ）２３２に送られ、そこでデジタル信号に変換される。
【００３４】
ＴＶチューナ２３１によって受信されたＴＶ放送番組データをＴＶ受像機１０２に出力する場合には、デジタル信号に変換されたＴＶ放送番組データはセレクタ２３６を介してグラフィクス／オーディオコントローラ２１３に送られる。一方、ＴＶチューナ２３１によって受信されたＴＶ放送番組データを要求元の情報処理端末に送信する場合、あるいはシステム部３１内のＨＤＤ３１２に記録する場合には、デジタル信号に変換されたＴＶ放送番組データはＭＰＥＧ２エンコーダ２３３に送られる。ＭＰＥＧ２エンコーダ２３３は、ＴＶ放送番組データを圧縮符号化する。圧縮符号化されたＴＶ放送番組データは、ＰＣＩバスインタフェース（ＰＣＩ  Ｉ／Ｆ）２３４、およびバス１０を介して、システム部３１に送られる。ＴＶチューナ２３１によって受信されたＴＶ放送番組データをＴＶ受像機１０２に出力しながら、システム部３１内のＨＤＤ３１２に記録する場合には、アナログ／デジタルコンバータ（ＡＤＣ）２３２によってデジタル信号に変換されたＴＶ放送番組データは、セレクタ２３６およびＭＰＥＧ２エンコーダ２３３の双方にそれぞれ供給される。ＭＰＥＧ２デコーダ２３５は圧縮符号化されたＴＶ放送番組データをデコードする。このＭＰＥＧ２デコーダ２３５は、システム部３１内のＨＤＤ３１２に記録された圧縮符号化されたＴＶ放送番組データをＴＶ受像機１０２に出力する場合に用いられる。このように第２のＡＶパス２１２は、放送データの受信処理と、受信された放送データの記録および再生のための放送データ処理を実行する。
【００３５】
第３のＡＶパス２１５は、例えばＩＥＥＥ  １３９４シリアルインタフェース規格に対応する外部機器との通信を実行するＩ／Ｏ装置である。第３のＡＶパス２１５は、図示のように、物理コントローラ（ＩＥＥＥ  １３９４  ＰＨＹ）２４１、およびリンクコントローラ（ＩＥＥＥ  １３９４  Ｌｉｎｋ）２４２から構成されており、ＰＣＩバスインタフェース（ＰＣＩ  Ｉ／Ｆ）２４３を介してバス１０に接続されている。外部機器１０６から入力されるコンテンツデータをＴＶ受像機１０２に出力する場合には、第３のＡＶパス２１５によって外部機器１０６から受信されたコンテンツデータはバス１０を介してグラフィクス／オーディオコントローラ２１３に送られる。一方、外部機器１０６から入力されるコンテンツデータを要求元の情報処理端末に送信する場合、あるいはシステム部３１内のＨＤＤ３１２に記録する場合には、第３のＡＶパス２１５によって外部機器１０６から受信されたコンテンツデータはバス１０を介してシステム部３１に送られる。
【００３６】
システム部３１は、システム制御部３１１、ＨＤＤ３１２、通信部３１３、リモコンコントローラ３１４を備えている。システム制御部３１１、ＨＤＤ３１２、通信部３１３、リモコンコントローラ３１４は、電源部４１から供給される電源Ｖ４によって駆動される。システム制御部３１１は、ワイヤレスＡＶステーション１０１の動作を制御するプロセッサである。システム制御部３１１は、リモコンコントローラ３１４によって受信されるリモコンユニットからのＴＶ／コンテンツデータ視聴要求、および通信部３１３によって受信される情報処理端末１０３〜１０５の各々からのＴＶ／コンテンツデータ視聴要求に応じて、ＡＶ部２１の動作を制御する。またシステム制御部３１１は、ＡＶパス２１１，２１２，２１５それぞれの使用状況を監視する監視機能と、現在使用されていないＡＶパスが電源オフされるようにＡＶパス２１１の電源オン／オフとＡＶパス２１２の電源オン／オフとＡＶパス２１５の電源オン／オフとを個別に制御する電源制御機能を有している。
【００３７】
通信部３１３は上述のルータ機能を実行するためのデバイスであり、家庭内のローカルネットワーク（無線ＬＡＮ１４、有線ＬＡＮ１５）とインターネット１２との間のデータ伝送を実行する。通信部３１３は、ＩＰマスカレード(IP masquerade)機能、ＮＡＴ(Network Address Translation)機能、ＤＨＣＰ(Dynamic Host Configuration Protocol)機能等を有している。通信部３１３は、インターネット１２に接続されるＷＡＮ端子、無線ＬＡＮ１４との通信を実行する無線通信デバイス、および有線ＬＡＮ１５に接続されるＬＡＮ端子を有している。通信部３１３は、家庭内のローカルネットワーク（無線ＬＡＮ１４、有線ＬＡＮ１５）を介した情報処理端末１０３〜１０５間のデータ伝送、および端末１０３〜１０５それぞれとインターネット１２との間のデータ伝送を実行する。通信部３１３はバス１０を介してシステム制御部３１１に接続されており、端末１０３〜１０５のいずれかからＴＶ／コンテンツデータ視聴要求を受信した場合には、その受信したＴＶ／コンテンツデータ視聴要求をシステム制御部３１１に送信する。さらに、通信部３１３は、ＡＶ部２１によって受信されたＴＶ放送番組データ／コンテンツデータを、システム制御部３１１の制御の下に、ローカルネットワークを介して情報処理端末１０３〜１０５に送信する機能も有している。
【００３８】
リモコンコントローラ３１４は、リモコンユニットとの通信を実行する。リモコンユニットから送信されるＴＶ視聴要求はリモコンコントローラ３１４によって受信され、そしてバス１０を介してシステム制御部３１１に送られる。
【００３９】
電源部４１はワイヤレスＡＶステーション１０１を構成する各モジュールに動作電源を供給する電源装置である。電源部４１は、電源制御部４２からの電源制御信号に応じて、ＡＶパス２１１への電源Ｖ１の供給と、ＡＶパス２１２への電源Ｖ２の供給と、ＡＶパス２１５への電源Ｖ３の供給と、システム部３１への電源Ｖ４の供給を独立して制御する。電源制御部４２は、システム制御３１１からの要求に応じて電源部４１に電源制御信号を供給するとともに、電源異常の発生を検知するために電源部４１からの電源ステータス信号によって電源部４１の動作監視を行う。
【００４０】
このワイヤレスＡＶステーション１０１においては、ルータとして機能する通信部３１３に対する電源Ｖ４の供給と、第１乃至第３のＡＶバス２１１，２１２，２１５に対する電源Ｖ１，Ｖ２，Ｖ３の供給とを独立に制御することができる。このため、コンテンツサーバ機能を使用する場合やＷｅｂブラウジングのみを行う場合など、ＴＶ機能、ＴＶ録画機能、および外部入力機能を使用しない場合には、通信部３１３に電源Ｖ４を供給した状態で、第１乃至第３のＡＶバス２１１，２１２，２１５に対する電源Ｖ１，Ｖ２，Ｖ３の供給を停止することができる。さらに、ワイヤレスＡＶステーション１０１においては、ＡＶパス２１１に対する電源Ｖ１の供給と、ＡＶパス２１２に対する電源Ｖ２の供給と、ＡＶパス２１５に対する電源Ｖ３の供給も独立に制御することができる。このため、第１乃至第３のＡＶバス２１１，２１２，２１５それぞれの使用状態に基づき、第１のＡＶパス２１１と、第２のＡＶパス２１２と、第３のＡＶパス２１５を個別に電源オン／オフできるので、必要なＡＶパスにのみ電源を供給することが可能となる。例えば、ＴＶ機能、ＴＶ録画機能を使用する端末が１台のみである場合には第１および第２のＡＶパス２１１，２１２の一方にのみ電源が供給され、ＴＶ機能、ＴＶ録画機能が２台の端末によって同時に使用される場合には第１および第２のＡＶパス２１１，２１２の双方に電源が供給される。また、例えばＴＶ機能、ＴＶ録画機能が使用されず、外部入力機能が使用される場合には、第１および第２のＡＶパス２１１，２１２には電源が供給されず、第３のＡＶパス２１５にのみ電源が供給される。
【００４１】
次に、図３を参照して、ワイヤレスＡＶステーション１０１内に配される具体的な電源供給系統について説明する。
【００４２】
ワイヤレスＡＶステーション１０１を構成するコンポーネントは、第１乃至第５の５つの電源被供給部に分類される。第１のＡＶパス２１１内のＴＶチューナ２１１、アナログ／デジタルコンバータ（ＡＤＣ）２２２、ＭＰＥＧ２エンコーダ２２３、およびＭＰＥＧ２デコーダ２２５は第１の電源被供給部に属しており、これらコンポーネントには電源Ｖ１が動作電源として供給される。第２のＡＶパス２１２内のＴＶチューナ２３１、アナログ／デジタルコンバータ（ＡＤＣ）２３２、ＭＰＥＧ２エンコーダ２３３、およびＭＰＥＧ２デコーダ２３５は第２の電源被供給部に属しており、これらコンポーネントには電源Ｖ２が動作電源として供給される。第３のＡＶパス２１５内の物理コントローラ（ＩＥＥＥ  １３９４  ＰＨＹ）２４１およびリンクコントローラ（ＩＥＥＥ  １３９４  Ｌｉｎｋ）２４２は第３の電源被供給部に属しており、これらコンポーネントには電源Ｖ３が動作電源として供給される。
【００４３】
バス１０に直接接続されるコンポーネント群、つまりシステム部３１（システム制御部３１１、ＨＤＤ３１２、通信部３１３、およびリモコンコントローラ３１４）、グラフィクス／オーディオコントローラ２１３、ＰＣＩバスインタフェース（ＰＣＩ  Ｉ／Ｆ）２２４，２３４，２４３は、第４の電源被供給部に属しており、これらコンポーネントには電源Ｖ４が動作電源として供給される。放送番組データ／コンテンツデータをＴＶ１０２に出力するために使用されるコンポーネント、つまりセレクタ２３６およびアンプ（ＡＭＰ）２１４は、第５の電源被供給部に属しており、これらコンポーネントには電源Ｖ５が動作電源として供給される。
【００４４】
電源部４１は電源Ｖ１，Ｖ２，Ｖ３，Ｖ４，Ｖ５それぞれの供給を独立して制御することができる。すなわち、電源部４１は電源Ｖ１，Ｖ２，Ｖ３，Ｖ４，Ｖ５それぞれに対応する５つの電源出力部を有しており、例えば、電源制御部４２からの電源制御信号に応じて５つの電源出力部それぞれに設けられたスイッチ回路を選択的にオン／オフ制御することなどによって、電源Ｖ１，Ｖ２，Ｖ３，Ｖ４，Ｖ５それぞれのオン／オフを個別に制御できるように構成されている。ワイヤレスＡＶステーション１０１が電源オンされている期間中は、電源Ｖ４が第４の電源被供給部に供給され続ける。電源Ｖ１，Ｖ２，Ｖ３，Ｖ５は、それぞれ必要に応じてオンされる。
【００４５】
図４には、システム制御部３１１がＡＶパス２１１，２１２，２１５それぞれの使用状況を管理するために使用するＡＶパス割当てテーブルの例が示されている。ＡＶパス割り当てテーブルには、各ＡＶパス番号毎に、［ソース］、［ユーザＩＤ］、［ＯＮ／ＯＦＦステート］、［常時ＯＮ／常時ＯＦＦ］が格納される。［ソース］は、該当するＡＶパスに対応するソースデータの種類（ＴＶ，ＩＥＥＥ  １３９４デバイス）を示す。［ユーザＩＤ］は、該当するＡＶパスを使用中の端末を識別するＩＤ（クライアントＩＤ）を示す。クライアントＩＤとしては、例えば、情報処理端末１０３〜１０５およびリモコンユニットにそれぞれ割り当てられたデバイスＩＤが用いられる。［ＯＮ／ＯＦＦステート］は、該当するＡＶパスが使用中であるか否か、つまり現在の電源ステートが電源ＯＮおよび電源ＯＦＦのいずれであるかを示す。［常時ＯＮ／常時ＯＦＦ］は、該当するＡＶパスを常時ＯＮまたは常時ＯＦＦのいずれかの状態に恒常的に設定する場合に使用される。
【００４６】
次に、図５および図６を参照して、通信部３１３、第１のＡＶパス２１１、第２のＡＶパス２１２、第３のＡＶパス２１５それぞれの電源状態がどのように遷移するかについて説明する。
【００４７】
図５は、ＴＶ視聴のための第１および第２のＡＶパス２１１，２１２それぞれの使用状態の変化に対応する、第１のＡＶパス２１１、第２のＡＶパス２１２、第３のＡＶパス２１５それぞれの電源状態の遷移を示している。ワイヤレスＡＶステーション１０１が電源オンされると、ワイヤレスＡＶステーション１０１の電源状態はステートＳ０（初期状態）となる。ステートＳ０においては、通信部３１３には電源Ｖ４が供給されるが、第１のＡＶパス２１１、第２のＡＶパス２１２、および第３のＡＶパス２１５に対する電源Ｖ１，Ｖ２，Ｖ３の供給は行われない。すなわち、ワイヤレスＡＶステーション１０１の電源投入時には、第１のＡＶパス２１１、第２のＡＶパス２１２、および第３のＡＶパス２１５をそれぞれ電源オフした状態で、電源被供給部４への電源Ｖ４の供給だけが行われる。ワイヤレスＡＶステーション１０１がルータとしてのみ機能している場合、またはＨＤＤ３１２に記録された放送番組データ／コンテンツデータを通信部３１３を介して情報処理端末に送信する場合は、ＡＶ部２１は使用されないので、ワイヤレスＡＶステーション１０１はステートＳ０に維持される。
【００４８】
ステートＳ０において、もし通信部３１３がある一つの端末（ＩＤ＝Ａ）からローカルネットワークを介して送信されるＴＶ視聴要求（Ａ）を受信すると、電源状態はステートＳ１（第１のＡＶパス＝ＯＮ，第２のＡＶパス＝ＯＦＦ，第３のＡＶパス＝ＯＦＦ）に遷移する。ステートＳ１では、第１のＡＶパス２１１には電源が供給されるが、第２のＡＶパス２１２および第３のＡＶパス２１５には電源が供給されない。通信部３１３には電源が供給される。すなわち、ＴＶ視聴要求（Ａ）が受信された時、ＴＶ視聴要求（Ａ）を送信した端末（ＩＤ＝Ａ）によって指定される放送番組データを受信するための受信装置として、現在使用されていない第１のＡＶパス２１１が、ＴＶ視聴要求（Ａ）を送信した端末（ＩＤ＝Ａ）に割り当てられる。そして、端末（ＩＤ＝Ａ）に割り当てられた第１のＡＶパス２１１に対応する第１の電源被供給部への電源Ｖ１の供給が開始される。これによりＡＶパス２１１が電源オンされる。ＡＶパス２１１によって受信された放送番組データは、通信部３１３を介して端末（ＩＤ＝Ａ）に送信されるか、あるいはＴＶ１０２に出力される。ＴＶ１０２に出力する場合は、電源被供給部５への電源Ｖ５の供給も開始され、セレクタ２３６およびアンプ２１４が電源オンされる。端末（ＩＤ＝Ａ）およびＴＶ１０２のどちらに出力するかは、ＴＶ視聴要求（Ａ）によって指定される。またＴＶ視聴要求（Ａ）が録画要求であるならば、ＡＶパス２１１によって受信された放送番組データは、ＨＤＤ３１２に記録される。
【００４９】
ステートＳ１において、もし端末（ＩＤ＝Ａ）からＴＶ視聴終了要求が送信されると、端末（ＩＤ＝Ａ）に割り当てられていたＡＶパス２１１が電源オフされ、電源状態はステートＳ０に戻る。一方、ステートＳ１において、通信部３１３がある別の端末（ＩＤ＝Ｂ）からローカルネットワークを介して送信されるＴＶ視聴要求（Ｂ）を受信すると、電源状態はステートＳ１からステートＳ２(第１のＡＶパス＝ＯＮ，第２のＡＶパス＝ＯＮ，第３のＡＶパス＝ＯＦＦ)に遷移する。すなわち、ＴＶ視聴要求（Ｂ）が受信された時、ＴＶ視聴要求（Ｂ）を送信した端末（ＩＤ＝Ｂ）によって指定される放送番組データを受信するための受信装置として、現在使用されていない第２のＡＶパス２１２が選択され、その第２のＡＶパス２１２が端末（ＩＤ＝Ｂ）に割当られる。そしてその第２のＡＶパス２１２に対応する第２の電源被供給部への電源Ｖ２の供給が開始される。これにより、第２のＡＶパス２１２が電源オンされる。第１のＡＶパス２１１は電源オンのまま維持され、通信部３１３も電源オンのまま維持される。また、第２のＡＶパス２１５は電源オフのまま維持される。第２のＡＶパス２１２によって受信された放送番組データは、通信部３１３を介して端末（ＩＤ＝Ｂ）に送信されるか、あるいはＴＶ１０２に出力される。もしＴＶ１０２がＴＶ視聴要求（Ａ）によって使用されているならば、ＡＶパス２１２によって受信された放送番組データをＴＶ１０２に出力することはできない。またＴＶ視聴要求（Ｂ）が録画要求であるならば、ＡＶパス２１２によって受信された放送番組データは、ＨＤＤ３１２に記録される。
【００５０】
ステートＳ２において、もし端末（ＩＤ＝Ｂ）からＴＶ視聴終了要求が送信されると、端末（ＩＤ＝Ｂ）に割り当てられている第２のＡＶパス２１２が電源オフされ、電源状態はステートＳ１に戻る。
【００５１】
一方、ステートＳ２において、もし端末（ＩＤ＝Ａ）からＴＶ視聴終了要求が送信されると、端末（ＩＤ＝Ａ）に割り当てられている第１のＡＶパス２１１が電源オフされ、電源状態はステートＳ３（第１のＡＶパス＝ＯＦＦ，第２のＡＶパス＝ＯＮ，第３のＡＶパス＝ＯＦＦ）に遷移する。ステートＳ３において、もし端末（ＩＤ＝Ｂ）からＴＶ視聴終了要求が送信されると、端末（ＩＤ＝Ｂ）に割り当てられている第２のＡＶパス２１２が電源オフされ、電源状態はステートＳ０に遷移する。
【００５２】
またステートＳ３において、もし通信部３１３がある別の端末（ＩＤ＝Ｃ）からローカルネットワークを介して送信されるＴＶ視聴要求（Ｃ）を受信すると、電源状態はステートＳ３からステートＳ２に遷移する。ステートＳ２では、ＴＶ視聴要求（Ｃ）で指定される放送番組データを受信するために、現在使用されていない第１のＡＶパス２１１が端末（ＩＤ＝Ｃ）に割り当てられる。そして、第１のＡＶパス２１１に対応する電源被供給部１への電源Ｖ１の供給が開始され、ＡＶパス２１１が電源オンされる。
【００５３】
図６は、外部機器１０６からのコンテンツデータを視聴するための第３のＡＶパス２１５の使用状態の変化をも考慮した場合に対応する、第１のＡＶパス２１１、第２のＡＶパス２１２、第３のＡＶパス２１５それぞれの電源状態の遷移を示している。
【００５４】
ステートＳ０において、もしある端末からコンテンツデータ視聴要求（ＡＶコンテンツ視聴要求）が送信されると、電源状態はステートＳ０からステートＳ４（第１のＡＶパス＝ＯＦＦ，第２のＡＶパス＝ＯＦＦ，第３のＡＶパス＝ＯＮ）に遷移する。すなわち、ある端末からＡＶコンテンツ視聴要求が送信された時、ＡＶコンテンツ視聴要求を送信した端末に第３のＡＶパス２１５が割り当てられる。そして、第３のＡＶパス２１５に対応する第３の電源被供給部への電源Ｖ３の供給が開始される。これにより第３のＡＶパス２１５が電源オンされる。第３のＡＶパス２１５によって外部機器１０６から受信されたコンテンツデータは、ＡＶコンテンツ視聴要求を送信した端末に通信部３１３を介して送信されるか、あるいはＴＶ１０２に出力される。ＴＶ１０２に出力する場合は、電源被供給部５への電源Ｖ５の供給も開始され、セレクタ２３６およびアンプ２１４が電源オンされる。端末およびＴＶ１０２のどちらに出力するかは、ＡＶコンテンツ視聴要求によって指定される。またＡＶコンテンツ視聴要求が録画要求であるならば、第３のＡＶパス２１５によって外部機器１０６から受信されたコンテンツデータは、ＨＤＤ３１２に記録される。ステートＳ４において、第３のＡＶパス２１５が割り当てられている端末からＡＶコンテンツ視聴終了要求が送信されると、電源状態はステートＳ０に戻る。
【００５５】
また、ステートＳ１において、もしある端末からＡＶコンテンツ視聴要求が送信されると、ＡＶコンテンツ視聴要求を送信した端末に第３のＡＶパス２１５が割り当てられ、電源状態はステートＳ１からステートＳ５（第１のＡＶパス＝ＯＮ，第２のＡＶパス＝ＯＦＦ，第３のＡＶパス＝ＯＮ）に遷移する。ステートＳ５において、第３のＡＶパス２１５が割り当てられている端末からＡＶコンテンツ視聴終了要求が送信されると、電源状態はステートＳ１に戻る。
【００５６】
また、ステートＳ２において、もしある端末からＡＶコンテンツ視聴要求が送信されると、ＡＶコンテンツ視聴要求を送信した端末に第３のＡＶパス２１５が割り当てられ、電源状態はステートＳ２からステートＳ６（第１のＡＶパス＝ＯＮ，第２のＡＶパス＝ＯＮ，第３のＡＶパス＝ＯＮ）に遷移する。ステートＳ６において、第３のＡＶパス２１５が割り当てられている端末からＡＶコンテンツ視聴終了要求が送信されると、電源状態はステートＳ２に戻る。
【００５７】
また、ステートＳ３において、もしある端末からＡＶコンテンツ視聴要求が送信されると、ＡＶコンテンツ視聴要求を送信した端末に第３のＡＶパス２１５が割り当てられ、電源状態はステートＳ３からステートＳ７（第１のＡＶパス＝ＯＦＦ，第２のＡＶパス＝ＯＮ，第３のＡＶパス＝ＯＮ）に遷移する。ステートＳ７において、第３のＡＶパス２１５が割り当てられている端末からＡＶコンテンツ視聴終了要求が送信されると、電源状態はステートＳ３に戻る。
【００５８】
ステートＳ４，Ｓ５．Ｓ６．Ｓ７間の遷移は、図５で説明したステートＳ０，Ｓ１，Ｓ２，Ｓ３間の遷移と同じ条件で実行される。
【００５９】
次に、図７のフローチャートを参照して、第１のＡＶパス２１１、第２のＡＶパス２１２、および第３のＡＶパス２１５を個別に電源オンするためにシステム制御部３１１によって実行される電源ＯＮシーケンス制御処理について説明する。
【００６０】
通信部３１３によってある端末（ＩＤ＝Ａ）からの視聴要求が受信されると（ステップＳ１０１のＹＥＳ）、システム制御部３１１は、図４のＡＶパス割当てテーブルを参照して、ＡＶパス２１１，２１２，２１５それぞれの現在の使用状態を調べる（ステップＳ１０２）。次いで、システム制御部３１１は、受信された視聴要求がＴＶ視聴要求（以下、ＴＶ鑑賞要求という）およびＡＶコンテンツ視聴要求（以下、ＡＶコンテンツ鑑賞要求という）のいずれであるかを判別する（ステップＳ１０３）。受信された視聴要求がＴＶ鑑賞要求であれば、以下の処理が実行される。
【００６１】
まず、システム制御部３１１は、第１および第２のＡＶパス２１１，２１２の双方が現在使用中であるかどうかを判別する（ステップＳ１０４）。もし第１および第２のＡＶパス２１１，２１２の双方が現在使用中であれば（ステップＳ１０４のＹＥＳ）、システム制御部３１１は、ＴＶ鑑賞要求を送信した端末（ＩＤ＝Ａ）と通信部３１３との間の通信によって、ＴＶ鑑賞要求を送信した端末（ＩＤ＝Ａ）に対してＴＶ鑑賞不許可を示すメッセージを送信する（ステップＳ１０５）。
【００６２】
一方、もし第１および第２のＡＶパス２１１，２１２の双方が現在使用されていなければ（ステップＳ１０６のＹＥＳ）、システム制御部３１１は、端末（ＩＤ＝Ａ）によって指定される放送番組データを受信するために使用すべきＡＶパスとして第１のＡＶパス２１１を端末（ＩＤ＝Ａ）に割当てる。この場合、システム制御部３１１は、第１のＡＶパス２１１が恒常的電源ＯＮ状態の設定であるか否かを判別する（ステップＳ１０７）。もし第１のＡＶパス２１１が恒常的電源ＯＮ状態の設定ではないならば（ステップＳ１０７のＮＯ）、システム制御部３１１は、第１のＡＶパス２１１に対応する第１の電源被供給部に電源が供給されるように電源制御部４２を介して電源部４１を制御する（ステップＳ１０８）。次いで、システム制御部３１１は、第５の電源被供給部に電源が供給されるように電源制御部４２を介して電源部４１を制御する（ステップＳ１０９）。
【００６３】
システム制御部３１１は、ＴＶ鑑賞要求を送信した端末（ＩＤ＝Ａ）と通信部３１３との間の通信によって、ＴＶ鑑賞要求を送信した端末（ＩＤ＝Ａ）に対してＴＶ鑑賞許可を示すメッセージを送信する（ステップＳ１１０）。この後、システム制御部３１１は、端末（ＩＤ＝Ａ）によって第１のＡＶパス２１１が使用されていることを示す情報をＡＶパス割当てテーブルに記録する（ステップＳ１１１）。ステップＳ１１１においては、第１のＡＶパス２１１に対応する［ユーザＩＤ］フィールドにＩＤ＝Ａが登録されると共に、第１のＡＶパス２１１に対応する［ＯＮ／ＯＦＦステート］フィールドにＯＮステートを示す情報が登録される。
【００６４】
また、もし第１のＡＶパス２１１が未使用で、第２のＡＶパス２１２が使用中であるならば（ステップＳ１１２のＹＥＳ）、システム制御部３１１は、端末（ＩＤ＝Ａ）によって指定される放送番組データを受信するために使用すべきＡＶパスとして第１のＡＶパス２１１を端末（ＩＤ＝Ａ）に割当てる。この場合、システム制御部３１１は、第１のＡＶパス２１１が恒常的電源ＯＮ状態の設定であるか否かを判別する（ステップＳ１１３）。もし第１のＡＶパス２１１が恒常的電源ＯＮ状態の設定ではないならば（ステップＳ１１３のＮＯ）、システム制御部３１１は、第１のＡＶパス２１１に対応する第１の電源被供給部に電源が供給されるように電源制御部４２を介して電源部４１を制御する（ステップＳ１１４）。次いで、システム制御部３１１は、ＴＶ鑑賞要求を送信した端末（ＩＤ＝Ａ）と通信部３１３との間の通信によって、ＴＶ鑑賞要求を送信した端末（ＩＤ＝Ａ）に対してＴＶ鑑賞許可を示すメッセージを送信する（ステップＳ１１５）。この後、システム制御部３１１は、端末（ＩＤ＝Ａ）によって第１のＡＶパス２１１が使用されていることを示す情報をＡＶパス割当てテーブルに記録する（ステップＳ１１６）。ステップＳ１１６においては、第１のＡＶパス２１１に対応する［ユーザＩＤ］フィールドにＩＤ＝Ａが登録されると共に、第１のＡＶパス２１１に対応する［ＯＮ／ＯＦＦステート］フィールドにＯＮステートを示す情報が登録される。
【００６５】
また、もし第１のＡＶパス２１１が使用中で、第２のＡＶパス２１２が未使用であるならば（ステップＳ１１２のＮＯ）、システム制御部３１１は、端末（ＩＤ＝Ａ）によって指定される放送番組データを受信するために使用すべきＡＶパスとして第２のＡＶパス２１２を端末（ＩＤ＝Ａ）に割当てる。この場合、システム制御部３１１は、第２のＡＶパス２１２が恒常的電源ＯＮ状態の設定であるか否かを判別する（ステップＳ１１７）。もし第２のＡＶパス２１２が恒常的電源ＯＮ状態の設定ではないならば（ステップＳ１１７のＮＯ）、システム制御部３１１は、第２のＡＶパス２１２に対応する第２の電源被供給部に電源が供給されるように電源制御部４２を介して電源部４１を制御する（ステップＳ１１８）。次いで、システム制御部３１１は、ＴＶ鑑賞要求を送信した端末（ＩＤ＝Ａ）と通信部３１３との間の通信によって、ＴＶ鑑賞要求を送信した端末（ＩＤ＝Ａ）に対してＴＶ鑑賞許可を示すメッセージを送信する（ステップＳ１１９）。この後、システム制御部３１１は、端末（ＩＤ＝Ａ）によって第２のＡＶパス２１１が使用されていることを示す情報をＡＶパス割当てテーブルに記録する（ステップＳ１２０）。ステップＳ１２０においては、第２のＡＶパス２１２に対応する［ユーザＩＤ］フィールドにＩＤ＝Ａが登録されると共に、第２のＡＶパス２１２に対応する［ＯＮ／ＯＦＦステート］フィールドにＯＮステートを示す情報が登録される。
【００６６】
ステップＳ１０３において、受信された視聴要求がＡＶコンテンツ鑑賞要求であると判断されたならば、図８に示す手順が以下のように実行される。
【００６７】
システム制御部３１１は、第３のＡＶパス２１５が現在使用中であるかどうかを判別する（ステップＳ１３１）。もし第３のＡＶパス２１５が現在使用中であれば（ステップＳ１３１のＹＥＳ）、システム制御部３１１は、ＡＶコンテンツ鑑賞要求を送信した端末（ＩＤ＝Ａ）と通信部３１３との間の通信によって、ＡＶコンテンツ鑑賞要求を送信した端末（ＩＤ＝Ａ）に対してＡＶコンテンツ鑑賞不許可を示すメッセージを送信する（ステップＳ１３２）。
【００６８】
一方、第３のＡＶパス２１５が使用されていないならば（ステップＳ１３１のＮＯ）、システム制御部３１１は、第１および第２のＡＶパス２１１，２１２の双方が現在未使用であるかどうかを判別する（ステップＳ１３３）。
【００６９】
第１および第２のＡＶパス２１１，２１２の双方が未使用であるならば（ステップＳ１３３のＹＥＳ）、システム制御部３１１は、第３のＡＶパス２１５をＡＶコンテンツ鑑賞要求を送信した端末（ＩＤ＝Ａ）に割当てる。この場合、システム制御部３１１は、第３のＡＶパス２１５が恒常的電源ＯＮ状態の設定であるか否かを判別する（ステップＳ１３４）。もし第３のＡＶパス２１５が恒常的電源ＯＮ状態の設定ではないならば（ステップＳ１３４のＮＯ）、システム制御部３１１は、第３のＡＶパス２１５に対応する第３の電源被供給部に電源が供給されるように電源制御部４２を介して電源部４１を制御する（ステップＳ１３５）。次いで、システム制御部３１１は、第５の電源被供給部に電源が供給されるように電源制御部４２を介して電源部４１を制御する（ステップＳ１３６）。
【００７０】
システム制御部３１１は、ＡＶコンテンツ鑑賞要求を送信した端末（ＩＤ＝Ａ）と通信部３１３との間の通信によって、ＡＶコンテンツ鑑賞要求を送信した端末（ＩＤ＝Ａ）に対してＡＶコンテンツ鑑賞許可を示すメッセージを送信する（ステップＳ１３７）。この後、システム制御部３１１は、端末（ＩＤ＝Ａ）によって第３のＡＶパス２１５が使用されていることを示す情報をＡＶパス割当てテーブルに記録する（ステップＳ１３８）。ステップＳ１３８においては、第３のＡＶパス２１５に対応する［ユーザＩＤ］フィールドにＩＤ＝Ａが登録されると共に、第３のＡＶパス２１５に対応する［ＯＮ／ＯＦＦステート］フィールドにＯＮステートを示す情報が登録される。
【００７１】
また、もし第１および第２のＡＶパス２１１，２１２の少なくとも一方が使用中であれば（ステップＳ１３３のＮＯ）、以下の処理が行われる。
【００７２】
すなわち、システム制御部３１１は、第３のＡＶパス２１５をＡＶコンテンツ鑑賞要求を送信した端末（ＩＤ＝Ａ）に割当てる。この場合、システム制御部３１１は、第３のＡＶパス２１５が恒常的電源ＯＮ状態の設定であるか否かを判別する（ステップＳ１３９）。もし第３のＡＶパス２１５が恒常的電源ＯＮ状態の設定ではないならば（ステップＳ１３９のＮＯ）、システム制御部３１１は、第３のＡＶパス２１５に対応する第３の電源被供給部に電源が供給されるように電源制御部４２を介して電源部４１を制御する（ステップＳ１４０）。次いで、システム制御部３１１は、ＡＶコンテンツ鑑賞要求を送信した端末（ＩＤ＝Ａ）と通信部３１３との間の通信によって、ＡＶコンテンツ鑑賞要求を送信した端末（ＩＤ＝Ａ）に対してＡＶコンテンツ鑑賞許可を示すメッセージを送信する（ステップＳ１４１）。この後、システム制御部３１１は、端末（ＩＤ＝Ａ）によって第３のＡＶパス２１５が使用されていることを示す情報をＡＶパス割当てテーブルに記録する（ステップＳ１４２）。ステップＳ１４２においては、第３のＡＶパス２１５に対応する［ユーザＩＤ］フィールドにＩＤ＝Ａが登録されると共に、第３のＡＶパス２１５に対応する［ＯＮ／ＯＦＦステート］フィールドにＯＮステートを示す情報が登録される。
【００７３】
次に、図９のフローチャートを参照して、第１のＡＶパス２１１、第２のＡＶパス２１２、第３のＡＶパス２１５を個別に電源オフするためにシステム制御部３１１によって実行される電源ＯＦＦシーケンス制御処理について説明する。
【００７４】
通信部３１３によってある端末（ＩＤ＝Ａ）からの視聴終了要求が受信されると（ステップＳ２０１のＹＥＳ）、システム制御部３１１は、ＡＶパス割当てテーブルを読み込んだ後（ステップＳ２０２）、受信された視聴終了要求がＴＶ視聴終了要求（以下、ＴＶ鑑賞終了要求という）およびＡＶコンテンツ視聴終了要求（以下、ＡＶコンテンツ鑑賞終了要求という）のいずれであるかを判別する（ステップＳ１０３）。受信された視聴終了要求がＴＶ鑑賞終了要求であれば、以下の処理が実行される。
【００７５】
システム制御部３１１は、ＡＶパス割当てテーブルを参照して、ＴＶ鑑賞終了要求を送信した端末（ＩＤ＝Ａ）に割り当てられて使用されているＡＶパスが第１および第２のＡＶパス２１１，２１２のいずれであるかを調べる。もしＴＶ鑑賞終了要求を送信した端末（ＩＤ＝Ａ）によって使用されているＡＶパスが第１のＡＶパス２１１であれば（ステップＳ２０４のＹＥＳ）、システム制御部３１１は、第１のＡＶパス２１１が恒常的電源ＯＮ状態の設定であるか否かを判別する（ステップＳ２０５）。もし第１のＡＶパス２１１が恒常的電源ＯＮ状態の設定ではないならば（ステップＳ２０５のＮＯ）、第１のＡＶパス２１１に対応する第１の電源被供給部への電源の供給が停止されるように、システム制御部３１１は、電源制御部４２を介して電源部４１を制御する（ステップＳ２０６）。次いで、システム制御部３１１は、ＡＶパス割当てテーブルを参照して、第２のＡＶパス２１２および第３のＡＶパス２１５の双方が未使用であるかいなかを判別する（ステップＳ２０７）。もし第２のＡＶパス２１２および第３のＡＶパス２１５の双方が使用されていなければ、第５の電源被供給部に対する電源供給も不要であるので、システム制御部３１１は、第５の電源被供給部への電源の供給が停止されるように電源制御部４２を介して電源部４１を制御する（ステップＳ２０８）。この後、システム制御部３１１は、第１のＡＶパス２１１が未使用であることを示す情報をＡＶパス割当てテーブルに記録する（ステップＳ２０９）。ステップＳ２０９においては、第１のＡＶパス２１１に対応する［ユーザＩＤ］フィールドの内容がクリアされるとともに、第１のＡＶパス２１１に対応する［ＯＮ／ＯＦＦステート］フィールドにＯＦＦステートを示す情報が登録される。
【００７６】
もしＴＶ鑑賞終了要求を送信した端末（ＩＤ＝Ａ）によって使用されているＡＶパスが第２のＡＶパス２１２であれば（ステップＳ２０４のＮＯ）、システム制御部３１１は、第２のＡＶパス２１２が恒常的電源ＯＮ状態の設定であるか否かを判別する（ステップＳ２１０）。もし第２のＡＶパス２１１が恒常的電源ＯＮ状態の設定ではないならば（ステップＳ２１０のＮＯ）、第２のＡＶパス２１２に対応する第２の電源被供給部への電源の供給が停止されるように、システム制御部３１１は、電源制御部４２を介して電源部４１を制御する（ステップＳ２１１）。次いで、システム制御部３１１は、ＡＶパス割当てテーブルを参照して、第１のＡＶパス２１１および第３のＡＶパス２１５の双方が未使用であるかいなかを判別する（ステップＳ２１２）。もし第１のＡＶパス２１１および第３のＡＶパス２１５の双方が使用されていなければ、第５の電源被供給部に対する電源供給も不要であるので、システム制御部３１１は、第５の電源被供給部への電源の供給が停止されるように電源制御部４２を介して電源部４１を制御する（ステップＳ２０８）。この後、システム制御部３１１は、第２のＡＶパス２１２が未使用であることを示す情報をＡＶパス割当てテーブルに記録する（ステップＳ２１４）。ステップＳ２１４においては、第２のＡＶパス２１２に対応する［ユーザＩＤ］フィールドの内容がクリアされるとともに、第２のＡＶパス２１１に対応する［ＯＮ／ＯＦＦステート］フィールドにＯＦＦステートを示す情報が登録される。
【００７７】
ステップＳ２０３において、受信された視聴終了要求がＡＶコンテンツ鑑賞終了要求であると判断されたならば、図１０に示す手順が以下のように実行される。
【００７８】
すなわち、システム制御部３１１は、第３のＡＶパス２１５が恒常的電源ＯＮ状態の設定であるか否かを判別する（ステップＳ２２１）。もし第３のＡＶパス２１５が恒常的電源ＯＮ状態の設定ではないならば（ステップＳ２２１のＮＯ）、第３のＡＶパス２１５に対応する第３の電源被供給部への電源の供給が停止されるように、システム制御部３１１は、電源制御部４２を介して電源部４１を制御する（ステップＳ２１２）。次いで、システム制御部３１１は、ＡＶパス割当てテーブルを参照して、第１のＡＶパス２１１および第２のＡＶパス２１２の双方が未使用であるかいなかを判別する（ステップＳ２２３）。もし第１のＡＶパス２１１および第２のＡＶパス２１２の双方が使用されていなければ、第５の電源被供給部に対する電源供給も不要であるので、システム制御部３１１は、第５の電源被供給部への電源の供給が停止されるように電源制御部４２を介して電源部４１を制御する（ステップＳ２２４）。この後、システム制御部３１１は、第３のＡＶパス２１５が未使用であることを示す情報をＡＶパス割当てテーブルに記録する（ステップＳ２２５）。ステップＳ２２５においては、第３のＡＶパス２１５に対応する［ユーザＩＤ］フィールドの内容がクリアされるとともに、第３のＡＶパス２１５に対応する［ＯＮ／ＯＦＦステート］フィールドにＯＦＦステートを示す情報が登録される。
【００７９】
以上のように、本実施形態によれば、通信部３１３に対する電源供給と第１乃至第３のＡＶパス２１１，２２２，２２５に対する電源供給とを独立に制御できるので、例えばワイヤレスＡＶステーション１０１がルータとしてのみ機能している場合、あるいはＨＤＤ３１２に記録された放送番組データ／コンテンツデータを通信部３１３を介して情報処理端末に送信している場合のように、放送番組受信サービス、および外部機器１０６からのコンテンツデータ受信サービスを使用しない場合には、第１乃至第３のＡＶパス２１１，２２２，２２５それぞれへの電源供給を停止することができる。また、第１乃至第３のＡＶパス２１１，２２２，２２５はそれぞれの使用状態に基づき個別に電源オン／オフされるので、必要なＡＶパスにのみ電源を供給することが可能となる。よって、無駄な電力消費を招くことなく、通信サービス、放送番組受信サービス、外部機器からのコンテンツデータ受信サービスを複数の端末１０３〜１０５に提供することが可能となる。特に、ＡＶパス２１１，２２２については、ＴＶチューナのみではなく、ＴＶチューナとそのＴＶチューナで受信された放送データを処理する放送データ処理部とを含むＡＶパス全体の電源を、そのＡＶパスが放送データ受信要求を送信した端末に割当てられるまでオフにしているので、ＴＶチューナに供給される電源のみをオフにする場合と比較して、一層の電力の消費化を図ることが可能となる。
【００８０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００８１】
【図１】本発明の一実施形態に係るワイヤレスＡＶステーションを用いたホームネットワークシステムの構成を示す図。
【図２】図１のワイヤレスＡＶステーションの構成を示すブロック図。
【図３】図１のワイヤレスＡＶステーション内に配される電源供給系統の例を示すブロック図。
【図４】図１のワイヤレスＡＶステーションで使用されるＡＶパス割当てテーブルの例を示す図。
【図５】図１のワイヤレスＡＶステーションの電源状態がＴＶ視聴要求／ＴＶ視聴終了要求に応じて遷移する様子を示す図。
【図６】図１のワイヤレスＡＶステーションの電源状態がＡＶコンテンツ視聴要求／ＡＶコンテンツ視聴終了要求に応じて遷移する様子を示す図。
【図７】図１のワイヤレスＡＶステーションによって実行される電源ＯＮシーケンス制御処理の手順の一部を示すフローチャート。
【図８】図１のワイヤレスＡＶステーションによって実行される電源ＯＮシーケンス制御処理の手順の残りの部分を示すフローチャート。
【図９】図１のワイヤレスＡＶステーションによって実行される電源ＯＦＦシーケンス制御処理の手順の一部を示すフローチャート。
【図１０】図１のワイヤレスＡＶステーションによって実行される電源ＯＦＦシーケンス制御処理の手順の残りの部分を示すフローチャート。
【符号の説明】
【００８２】
１０１…ワイヤレスＡＶステーション、１０２…ＴＶ受像機、１０３〜１０５…情報処理端末、２１…ＡＶ部、３１…システム部、４１…電源部、４２…電源制御部、２１１…第１のＡＶパス、２１２…第２のＡＶパス、２１５…第３のＡＶパス、３１３…通信部、３１１…システム制御部、３１２…ＨＤＤ
【図１】
2005073142.tif 000003
【図２】
2005073142.tif 000004
【図３】
2005073142.tif 000005
【図４】
2005073142.tif 000006
【図５】
2005073142.tif 000007
【図６】
2005073142.tif 000008
【図７】
2005073142.tif 000009
【図８】
2005073142.tif 000010
【図９】
2005073142.tif 000011
【図１０】
2005073142.tif 000012